(57)【特許請求の範囲】
【請求項１】
第１のスピーカが装着されている密閉箱の内部容積を中仕切で二つの空間に分け、上記中仕切に第２のスピーカを装着して駆動すると共に、パッシブラジェターとなる前記第１のスピーカのボイスコイルの両端にチョークコイルの両端をそれぞれ接続して成るスピーカ装置。
【請求項２】
一つの密閉箱に二つのスピーカを装着して、第１のスピーカを駆動すると共に、パッシブラジェターとなる第２のスピーカのボイスコイルの両端にチョークコイルの両端をそれぞれ接続して成るスピーカ装置。
【発明の詳細な説明】
【０００１】
【発明の属する技術分野】
本発明はパッシブラジエターを使用するスピーカ装置に関するものである。
【０００２】
【従来の技術】
近年、省スペースで重低音が再生できるスピーカ装置の開発が盛んである。この中には、パッシブラジエターを取付けた密閉箱の内部容積を中仕切で二つの空間に分け、上記中仕切に駆動用のスピーカを装着するものがあり、ケルトン方式と呼ばれている。
【０００３】
この従来のケルトン方式のスピーカ装置を図８の断面図により説明する。同図によると、５１は密閉箱の外壁、５２は外壁５１に装着されたパッシブラジエター、５３は密閉箱の内部を二分割する中仕切、５４は中仕切５３に装着されたスピーカ、５５はスピーカ５４の入力端子である。
【０００４】
次に動作について説明すると、スピーカ５４を駆動するとパッシブラジエター５２が特定の周波数で共振し、低音部のみが外部に向かって放射される。この方式は、特に箱の小型化と高域周波数を効果的にカットできる点に特長があり、サブウーハに用いられることが多い。
【０００５】
また、図９は他の従来技術であるドロンコーン方式のスピーカ装置の断面図であり、同図によると、６１は密閉箱、６２は駆動用スピーカ、６３はパッシブラジエターとして働くスピーカ、６４はスピーカ６３のボイスコイルに接続された制動量調整用の可変抵抗器、６５は駆動用スピーカ６２の入力端子である。
【０００６】
以上のように、磁気回路を備えたスピーカ６３をパッシブラジエターの代わりに用い、その可変抵抗器６４をショートさせて電磁制動をかけることで低音を強調するとともに応答特性を向上させたものである。
【０００７】
【発明が解決しようとする課題】
しかしながら従来の構成の図８のものにおいては、パッシブラジエター５２それ自体は駆動力や制動力を持たないため、入力信号に対する過度応答特性は良くない。従って共振した振動がなかなか止まらない、低音が遅れて聞こえる等の欠点が生じる。
【０００８】
また、図９のものは可変抵抗器６４をショートさせて電磁制動をかけることによって、低音の音圧も同時に低下するという課題を有するものであった。
【０００９】
【課題を解決するための手段】
以上の課題を解決するために本発明によるスピーカ装置は、第１のスピーカが装着されている密閉箱の内部容積を中仕切で二つの空間に分け、上記中仕切に第２のスピーカを装着して駆動すると共に、パッシブラジェターとなる前記第１のスピーカのボイスコイルの両端にチョークコイルの両端をそれぞれ接続するものである。
【００１０】
この構成によりパッシブラジエターとして働く第１のスピーカでは、音の立ち上がり、立ち下がり等、振幅変化が急峻な場合、チョークコイルのインダクタンスによって制動電流が減少し、一定の共振が続くような振幅変化の緩やかな場合には制動電流が増加するものである。
【００１１】
上記によって、変化のある低音には良く反応して音圧減少が少なく、連続した低音には充分な制動をかけて、迫力ある歯切れの良い低音再生が可能となるものである。
【００１２】
【発明の実施の形態】
本発明の請求項１記載の発明は、第１のスピーカが装着されている密閉箱の内部容積を中仕切で二つの空間に分け、上記中仕切に第２のスピーカを装着して駆動すると共に、第１のスピーカのボイスコイルの両端にチョークコイルの両端をそれぞれ接続して成るものであり、パッシブラジェターとして働く第１のスピーカでは、音の振幅変化が急峻な場合、チョークコイルのインダクタンスによって制動電流が減少し、一定の共振が続くような振幅変化の緩やかな場合は制動電流が増加するものであり、変化のある低音には良く反応して音圧減少が少なく、連続した低音には充分な制動をかけて、迫力ある歯切れの良い低音再生を行うことができるものである。
【００１３】
本発明の請求項２記載の発明は、一つの密閉箱の外壁に二つのスピーカを装着して、第１のスピーカを駆動すると共に、第２のスピーカのボイスコイルの両端にチョークコイルの両端をそれぞれ接続して成るものであり、迫力ある歯切れの良い低音を再生するドロンコーン方式のスピーカ装置が実現できるものである。
【００１４】
以下、本発明の実施の形態を図１〜図７により説明する。
（実施の形態１）
図１は本発明のスピーカ装置の一実施の形態の断面図であり、図２〜図４は周波数特性図、図５、図６は共振特性図である。
【００１５】
同図１において１は密閉箱の外壁、２は外壁１に装着されたスピーカ、３はスピーカ２のボイスコイルに接続されたチョークコイル、４は密閉箱の内部を二分割する中仕切、５は中仕切４に装着されたドライバーとなるスピーカ、６はスピーカ５の入力端子である。
【００１６】
図２〜図４は周波数特性図であり、図２はスピーカ２のボイスコイルをオープン状態にしたもの（つまり、図８と同様のもの）、図３はスピーカ２のボイスコイルをショート状態にしたもの、図４はスピーカ２のボイスコイルの両端にチョークコイル３の両端をそれぞれ接続したもの（本実施の形態のもの）であり、スピーカ５に４００Ｈｚの正弦波を入力した時のそれぞれの周波数特性図である。
【００１７】
図２〜図４から明らかなごとく、図２（スピーカ２のボイスコイルをオープン状態にしたもの）に対して、図３（スピーカ２のボイスコイルをショート状態としたもの）、図４（スピーカ２のボイスコイルにチョークコイル３を接続したもの）のものは共振点Ａにおいて夫々、高圧レベルが図２のものは約９８ｄＢ、図３のものは約９５ｄＢ、図４のものは約９５ｄＢであり、スピーカ２のボイスコイルをショートするかまたはスピーカ２のボイスコイルの両端にチョークコイル３を接続したものの方がスピーカ２のボイスコイルをオープン状態にしたものより約３ｄＢ制動がかかり、共振が抑制されていることが判る。なお、図２〜図４のＢはインピーダンス特性を示している。
【００１８】
また、図５、図６はトーンバースト４波（１ｋHz）を一度入力して共振特性を比較したもので、図５はボイスコイルオープン対ショートの場合、図６はボイスコイルオープン対（本実施の形態の）チョークコイル接続の場合である。どちらの場合も塗りつぶした部分がボイスコイルオープンとの波形差であり、この面積が電磁制動の大きさとなる。
【００１９】
即ち、トーンバースト直後でパッシブラジエターの共振開始付近から振幅変化の急峻な期間（範囲Ｔ）では、「オープン対ショート」に比べ「オープン対チョークコイル接続」の方が波形差が少なく電磁制動は小さい。その後振幅変化が緩やかになるにつれ、両者の波形差は同等になって電磁制動も近付いている。
【００２０】
以上のように、本実施の形態のスピーカ装置ではスピーカ２がパッシブラジエターの働きをし、その共振状態は振幅の変化の急峻さに応じて変わる。即ち、音の立ち上がり、立ち下がり等、振幅変化の急峻な場合はスピーカ２の逆起電力の変化も激しく、チョークコイル３のインダクタンスによって制動電流が減少する。従って電磁制動は弱く、スピーカ２は従来のパッシブラジエターと同様に共振して振幅する。
【００２１】
また、一定の振幅が続くような変化の緩やかな場合にはチョークコイル３の制動電流は増加する。このため電磁制動は強くなり、スピーカ２の共振は抑えられる。
【００２２】
上記の結果、変化のある低音には良く反応して音圧減少が少なく、連続してコモリ易い低音には充分な制動がかかって、迫力ある歯切れの良い低音再生が可能となる。
【００２３】
なお、図１におけるチョークコイル３はそのインダクタンスが電磁制動の変化に影響するため、個々のシステムで最適値が存在する。また、制動電流のロスを減らすにはできるだけ直流抵抗の低いものが望ましい。本実施の形態では、聴感評価から０．７８ｍＨのフェライトコア付きコイルを使用した。
【００２４】
（実施の形態２）
図７は他の実施の形態のスピーカ装置の断面図であり、図１の実施の形態と同一部分は同一番号を付して説明を省略して説明する。７はスピーカ２と同じ背面空間を共用するスピーカ、８はスピーカ７の入力端子である。この実施の形態では、ケルトン方式に代えて一般のドロンコーン方式に本発明を適用したものであり、スピーカ７が駆動用として働く。パッシブラジェターとして働くスピーカ２に加えられる電磁制動の状態、作用は実施の形態１と同様であり、実施の形態１はケルトン方式の改良したものであったが、本実施の形態は迫力ある歯切れの良い低音を再生するドロンコーン方式のスピーカ装置が実現できるものである。
【００２５】
【発明の効果】
以上のように構成される本発明のスピーカ装置は、従来のパッシブラジエターに対し、電磁制動をその振幅変化が急峻な場合には弱く、緩やかな場合には強くかけることができ、変化のある低音には良く反応して音圧減少が少なく、連続した低音には充分な制動をかけて、迫力ある歯切れの良い低音再生が可能となるものである。
【図面の簡単な説明】
【図１】本発明の一実施の形態のスピーカ装置の断面図
【図２】同ボイスコイルオープン状態での正弦波スイーブによる周波数特性図
【図３】同ボイスコイルショート状態での正弦波スイーブによる周波数特性図
【図４】同ボイスコイルにチョークコイル接続状態での正弦波スイーブによる周波数特性図
【図５】同トーンバーストによる共振特性図（比較例）
【図６】同トーンバーストによる共振特性図
【図７】本発明の他の実施の形態のスピーカ装置の断面図
【図８】従来のスピーカ装置の断面図
【図９】同他のスピーカ装置の断面図
【符号の説明】
１  （密閉箱の）外壁
２  スピーカ
３  チョークコイル
４  中仕切
５  スピーカ
７  スピーカ
【図１】
0003653870.tif 000002
【図２】
0003653870.tif 000003
【図３】
0003653870.tif 000004
【図４】
0003653870.tif 000005
【図５】
0003653870.tif 000006
【図６】
0003653870.tif 000007
【図７】
0003653870.tif 000008
【図８】
0003653870.tif 000009
【図９】
0003653870.tif 000010